(57)【要約】      （修正有）【課題】着脱が容易で、コンパクトな、インクジェット記録ヘッド、及び、その記録ヘッドを搭載するインクジェット記録装置を提供する。【解決手段】一側面に電気接続部と、インク供給口Ｈ１８０１からなる、ジョイント部Ｈ２２００を備えた、略カードタイプのインクジェット記録ヘッドでありキャリッジに対して、一方向に押圧することにより、ヘッド側の電気接続部とインク供給口Ｈ１８０１を、キャリジ側の電気接続部とインク供給口に、それぞれ同時に接続可能であるインクジェット記録ヘッド。【選択図】図１
2009023218.tif 000002
【特許請求の範囲】
【請求項１】
インクを吐出するための吐出口群を有する記録素子基板と、記録素子基板と電気的に接続され、記録素子基板に対して電気パルスを印加する電気配線基板と、記録素子基板と電気配線基板を保持固定し、記録素子基板に対して、インクを供給するためのインク流路を備えた支持部材からなるインクジェット記録ヘッドにおいて、
一側面に電気接続部と、インク供給口からなる、ジョイント部を備えたことを特徴とするインクジェット記録ヘッド。
【請求項２】
前記インクジェット記録ヘッドを、キャリッジに対して、一方向に押圧することにより、
前記電気接続部と、前記インク供給口とを、対する前記キャリッジ側の、電気接続部と、インク供給口に対して、それぞれ同時に接続可能であることを特徴とする請求項１に記載のインクジェット記録ヘッド。
【請求項３】
前記記録ヘッドは、吐出方向の厚みが、長さ寸法、幅寸法に対して小となる薄型であることを特徴とする請求項１に記載のインクジェット記録ヘッド。
【請求項４】
前記記録ヘッドは、厚みが５ｍｍ以下であることを特徴とする請求項３に記載のインクジェット記録ヘッド。
【請求項５】
前記ジョイント部は、被記録媒体の送り方向（主走査方向）と直行する方向の、一側面に備えられていることを特徴とする、請求項１に記載のインクジェット記録ヘッド。
【請求項６】
前記吐出口群が設けられた面の、前記ジョイント部を挟む両側面よりに、該インクジェット記録ヘッドを吐出方向に対して位置決めする、位置決め部を有していることを特徴とする請求項１に記載のインクジェット記録ヘッド。
【請求項７】
前記吐出口群が設けられた面とは反対の面に、前記押圧方向とは反対方向に手掛かりする、手掛かり部を設けたことを特徴とする請求項１に記載のインクジェット記録ヘッド。
【請求項８】
請求項１に記載の前記キャリッジは、前記インクジェット記録ヘッドを位置決め固定する枠部材と、ジョイント部と、を含んで構成されていることを特徴とするインクジェット記録装置。
【請求項９】
請求項１に記載の前記キャリッジは、前記記録ヘッドのインク供給口と、インクタンクのインク供給口を、互いに連通させるインク流路を具備していることを特徴とするインクジェット記録装置。
【請求項１０】
前記枠部材は、ヘッド挿入部と、保持部と、押圧部を有しており、ばね性を有する金属材料を一体成形した部材であることを特徴とする、請求項８に記載のインクジェット記録装置。
【請求項１１】
前記ヘッド挿入部は、吐出方向側の保持部とは、反対の面に設けられた開口部であることを特徴とする、請求項１０に記載のインクジェット記録装置。
【請求項１２】
請求項１〜７に記載のインクジェット記録ヘッドを、副走査方向に往復移動可能な前記キャリッジ上に搭載し、被記録媒体に対して記録を行うインクジェット記録装置。
【請求項１３】
前記インクジェット記録ヘッド、及び前記キャリッジの主走査方向に対する傾きは、インクの吐出タイミングにより補正していることを特徴とする、請求項１２に記載のインクジェット記録装置。
【請求項１４】
前記キャリッジに、着脱可能なインクタンクと、前記インクジェット記録ヘッドを搭載していることを特徴とする、請求項１２に記載のインクジェット記録装置。
【請求項１５】
請求項１〜７に記載のインクジェット記録ヘッドを、請求項８〜１１に記載のキャリッジと同機能を有する固定式（移動不可能）のヘッド装着部に装着し、被記録媒体に記録を行うインクジェット記録装置。
【発明の詳細な説明】
【技術分野】
【０００１】
本発明は、液体をオリフィスから噴射して液滴を形成するインクジェット記録ヘッドに関する。
【０００２】
なお、本発明は、一般的なプリント装置のほか、複写機、通信システム有するファクシミリ、プリント部を有するワードプロセッサ等の装置、さらには、各種処理装置と複合的に組み合わされた産業用記録装置に適用することができる。
【背景技術】
【０００３】
インクジェット記録装置は、いわゆるノンインパクト記録方式の記録装置である。高速な記録と様々な記録メディアに対し記録することが可能であり、記録時における騒音がほとんど生じないといった特徴を持つ。このようなことから、プリンター、ワードプロセッサ、ファクシミリ、複写機等の記録機構を担う装置として広く採用されている。
【０００４】
このようなインクジェット記録装置に搭載される記録ヘッドは、インクを吐出する方式として、ピエゾ素子などの電気機械変換体を用いたもの、レーザーなどの電磁波を照射して発熱させ、この発熱による作用でインク滴を吐出させるもの、あるいは発熱抵抗体を有する電気熱変換素子によってインクを加熱し、膜沸騰の作用によりインク滴を吐出させるものなどが知られている。
【０００５】
これらの記録装置に用いられるヘッドカートリッジは、従来、利便性を追求し、記録ヘッドとインクタンクが一体化した、使い捨てのものが主流であったが、近年、記録ヘッドの高性能化、長寿命化にともない、記録ヘッドに比べて、はるかに寿命の短いインクタンクを、記録ヘッドから分離し、それぞれを交換することが可能な例えば特開平１０−４４４６５号公報に記載されるようなプリンターが増えてきている。
【０００６】
図６は、従来のインクジェット記録ヘッド１とインクタンクの装着を説明する図。図７は、図６のインクジェット記録ヘッドを説明する図。図８は、図６のインクジェット記録ヘッドを搭載するインクジェット記録装置を説明する図である。
【０００７】
図６に示すように、従来のインクジェット記録ヘッドＨ１００１は、着脱自在のインクタンクＨ１９００が装着できるようになっており、インクタンクのインク供給口Ｈ１９０１と接続するジョイント部Ｈ１５０１、セットレバーＨ１９０２を係合する係合部Ｈ１５０２を有している。また、図７に示すように、インクジェット記録ヘッドＨ１００１の背面には、外部信号入力端子Ｈ１３０１（電気接続部）が具備されている。インクタンクＨ１９００を装着した記録ヘッドＨ１００１は、図８に示すインクジェットプリンターＭ１０００のキャリッジＭ４００１に、ヘッドセットレバーＭ４００７により位置決め固定される。
【特許文献１】特開平１０−４４４６５号公報
【発明の開示】
【発明が解決しようとする課題】
【０００８】
しかしながら、上述のようなインクジェット記録ヘッドＨ１００１は、略インクタンク形状のホルダー部を有しており、インクタンクＨ１９００を装着するためのジョイント部Ｈ１５０１や係合部Ｈ１５０２を設けている。また、インクジェット記録装置Ｍ１０００においては、キャリッジＭ４００１は、略記録ヘッド形状（インクタンクホルダー部を含む）のホルダー部を有しており、記録ヘッドＨ１００１をヘッドセットレバーＭ４００７により、位置決め固定、電気接続している。
【０００９】
そのため、記録ヘッドＨ１００１と、キャリッジＭ４００１は、ともに機構が複雑化し、装置が大型化している。
【００１０】
そこで、本出願に係る第一の発明の目的は、着脱が容易で、コンパクトな、インクジェット記録ヘッド、及び、そのインクジェット記録ヘッドを搭載するインクジェット記録装置を提供することにある。
【課題を解決するための手段】
【００１１】
本発明は、これらの問題を解決するために、
インクを吐出するための吐出口群を有する記録素子基板と、記録素子基板と電気的に接続され、記録素子基板に対して電気パルスを印加する電気配線基板と、記録素子基板と電気配線基板を保持固定し、記録素子基板に対して、インクを供給するためのインク流路を備えた支持部材からなるインクジェット記録ヘッドにおいて、
一側面に電気接続部と、インク供給口からなる、ジョイント部を備えた、略カードタイプのインクジェット記録ヘッドであり、
該インクジェット記録ヘッドを、キャリッジに対して、一方向に押圧することにより、
前記電気接続部と、前記インク供給口とを、対する前記キャリッジ側の、電気接続部と、インク供給口に対して、それぞれ同時に接続可能であることを特徴とする。
【００１２】
さらに、前記ジョイント部は、被記録媒体の送り方向（主走査方向）と直行する方向の、一側面に備えられていることを特徴とする。
【００１３】
さらに、前記吐出口群が設けられた面の、前記ジョイント部を挟む両側面よりに、該インクジェット記録ヘッドを吐出方向に対して位置決めする、位置決め部を有していることを特徴とする。
【００１４】
さらに、インクジェット記録装置の前記キャリッジは、前記インクジェット記録ヘッドを位置決め固定する枠部材と、ジョイント部と、を含んで構成されていることを特徴とする。
【００１５】
さらに、前記キャリッジは、前記記録ヘッドのインク供給口と、インクタンクのインク供給口を、互いに連通させるインク流路を具備していることを特徴とする。
【００１６】
さらに、前記枠部材は、ヘッド挿入部と、保持部と、押圧部を有しており、ばね性を有する金属材料を一体成形した部材であることを特徴とする。
【００１７】
さらに、前記ヘッド挿入部は、吐出方向側の保持部とは、反対の面に設けられた開口部であることを特徴とする。
【００１８】
（作用）
上記のように構成された本発明においては、インクジェット記録ヘッドを、キャリッジに対して、一方向に押圧することにより、位置決めされ、電気接続と、インク供給口が、それぞれ同時に接続できるため、接続機構が簡単になり、インクジェット記録ヘッドと、インクジェット記録装置を小型化することができる。
【発明の効果】
【００１９】
以上説明したように、本発明によると、インクジェット記録ヘッドは、一側面に電気接続部と、インク供給口からなる、ジョイント部を備えており、キャリッジに対して、一方向に押圧することにより、前記電気接続部と、前記インク供給口とを、対する前記キャリッジ側の、電気接続部と、インク供給口に対して、それぞれ同時に接続可能であるため、位置決め機構、接続機構が簡単であり、インクジェット記録装置を小型化できる。
【００２０】
また、本発明によると、ジョイント部は、被記録媒体の送り方向（主走査方向）と直行する方向の、一側面に備えられているため、二本の平行する紙押さえローラーＭ４０１７の間隔を、狭くすることが可能となり、印字品位の高い記録を行うことができる。
【００２１】
また、本発明によると、キャリッジは、記録ヘッドのインク供給口と、インクタンクのインク供給口を、互いに連通させるインク流路を具備しているため、キャリッジに取り付けられた、記録ヘッドとインクタンクは、それぞれ、単独で交換することが可能となる。
【００２２】
また、本発明によると、キャリッジの枠部材は、ばね性を有する金属材料を一体成形した部材であるため、安価で、容易に製作することが可能である。
【００２３】
また、インクジェット記録ヘッド、及びキャリッジの主走査方向に対する傾きは、インクの吐出タイミングにより補正しているため、高精度な位置決め機構を必要とせず、安価で高品位な、インクジェット記録装置を提供することができる。
【発明を実施するための最良の形態】
【００２４】
以下に、本発明の実施形態について図面を参照して説明する。
【００２５】
（第１の実施の形態）
図１は、本発明の第１の実施の形態のインクジェット記録ヘッドを説明する図。図２は、図１のインクジェット記録ヘッドの分解斜視図。図３は、図１のインクジェット記録ヘッドを装着するキャリッジを説明する図。図４は、図１のインクジェット記録ヘッドを搭載するインクジェット記録装置を説明する図である。
【００２６】
図１に示すように、本発明の第１の実施の形態のインクジェット記録ヘッドＨ１００１は、略カードタイプの記録ヘッドであり、一側面に、外部信号入力端子Ｈ１３０１（電気接続部）と、インク供給口Ｈ１８０１からなるジョイント部Ｈ２２００を有している。本形態においては、例えば、長さ３４ｍｍ、幅２６ｍｍ、厚み５ｍｍの形状である。
【００２７】
前記インクジェット記録ヘッドＨ１００１は、図２の分解斜視図に示すように、記録素子基板Ｈ１１００、電気配線基板Ｈ１３００、配線統合基板Ｈ２１００、第１の支持板Ｈ１２００、第２の支持板Ｈ１４００、フィルター部材Ｈ１７００、ヘッド枠部材Ｈ２０００、電気コネクタＨ１３０２（外部信号入力端子）、流路部材Ｈ１６００、シールゴムＨ１８００から構成されている。
【００２８】
本形態のインクジェット記録ヘッドＨ１００１は、電気信号に応じて膜沸騰をインクに対して生じせしめるための熱エネルギーを生成する電気熱変換素子を用いて記録を行うインクジェット記録ヘッドである。
【００２９】
記録素子基板Ｈ１１００は、ベースとなるＳｉ基板と、吐出口群Ｈ１１０１を形成するオリフィスプレートから構成されている。Ｓｉ基板は、例えば、厚さ０．５〜１ｍｍのＳｉ基板で薄膜が形成されている。また、インク流路として長溝状の貫通口からなるインク供給口（不図示）が形成され、インク供給口の両側に電気熱変換素子がそれぞれ１列ずつ千鳥状に配列されており、前記電気熱変換素子と、電気熱変換素子に電力を供給するＡｌ等の電気配線は成膜技術により形成されている。また、前記電気配線に電力を供給するための電極部Ｈ１１０２には、パターニングによるメッキやワイヤボンディングによるボール電極形成（スタッドバンプ）によりＡｕ等のバンプが設けられている。前記インク供給口は、前記Ｓｉ基板の結晶方位を利用した異方性エッチングにより形成される。ウエハー面に＜１００＞、厚さ方向に＜１１１＞の結晶方位を持つ場合、アルカリ系（ＫＯＨ、ＴＭＡＨ、ヒドラジン等）の異方性エッチングにより、約５４．７度の角度でエッチングが進行する。この方法を用いて、所望の深さにエッチングする。また、前記Ｓｉ基板上には、電気熱変換素子が具備される発泡室に連通するインク流路や、インクを吐出するための吐出口群Ｈ１１０１を形成するオリフィスプレートがフォトリソ技術により形成されている。吐出口群Ｈ１１０１は、例えば、４色（ブラック、シアン、マゼンタ、イエロー）のインクに合わせて、４つの吐出口群が設けられている。
【００３０】
そして、記録素子基板Ｈ１１００は、第１の支持板Ｈ１２００に接着固定される。接着固定することにより、記録素子基板Ｈ１１００に設けられたインク供給口と、第１の支持部材Ｈ１２００に設けられたインク供給口Ｈ１２０１が連通し、インク流路が形成される。接着に用いられる接着剤は第１の支持板Ｈ１２００上のインク供給口Ｈ１２０１周囲に塗布され、インク流路が外部にリークしないように記録素子基板Ｈ１１００と第１の支持板Ｈ１２００は接着される。接着に用いられる接着剤は、例えば、粘度が低く、接触面に形成される接着層が薄く、かつ、硬化後、比較的高い硬度を有し、かつ、耐インク性のあるものが望ましい。その接着剤は、例えば、エポキシ樹脂を主成分とした熱硬化接着剤であり、接着層の厚みは５０μｍ以下が望ましい。第１の支持板Ｈ１２００は、例えば、アルミナ（Ａｌ2Ｏ3）材料で形成されている。なお、第１の支持板Ｈ１２００の素材は、アルミナに限られることなく、記録素子基板２の材料の線膨張率と同等の線膨張率を有し、かつ、記録素子基板Ｈ１１００の材料の熱伝導率と同等もしくは同等以上の熱伝導率を有する材料で作られてもよい。第１の支持板Ｈ１２００の素材は、例えば、シリコン（Ｓｉ）、窒化アルミニウム（ＡｌＮ）、ジルコニア、窒化珪素（Ｓｉ3Ｎ4）、炭化珪素（ＳｉＣ）、モリブデン（Ｍｏ）、タングステン（Ｗ）のうちいずれであってもよい。また、第１の支持板Ｈ１２００には、記録素子基板Ｈ１１００にインクを供給するためのインク供給口Ｈ１２０１が形成されているが、インク供給口Ｈ１２０１の裏面には、外部からのゴミの侵入を防止するためのフィルター部材Ｈ１７００が接着されている。また、第１の支持板Ｈ１２００の表面側には、電気配線基板Ｈ１３００を保持する第２の支持板Ｈ１４００が接着されている。第２の支持板Ｈ１４００は、第１の支持板Ｈ１２００と同じ材料が理想的であるが、同じ材料に限定されるものではない。なお、第２の支持板Ｈ１４００は、記録素子基板Ｈ１１００を組み込むための開口部を有している。
【００３１】
そして、電気配線基板Ｈ１３００は、記録素子基板Ｈ１１００に対してインクを吐出するための電気パルスを印加するものであり、記録素子基板Ｈ１１００を組み込むための開口部と、記録素子基板Ｈ１１００の電極Ｈ１１０２に対応するリード端子Ｈ１３０３を有している。電気配線基板Ｈ１３００の構成は、例えば、ポリイミドテープ上に銅箔を接着し、場合によっては、さらに、銅箔をカバーレジストで被覆している。そして、電気配線基板Ｈ１３００のリード端子Ｈ１３０３と記録素子基板Ｈ１１００の電極部Ｈ１１０２が、ＴＡＢ実装技術により電気接続される。電気接続部は、図１に示す、封止剤Ｈ１３０４により保護される。
【００３２】
そして、電気配線基板Ｈ１３００の裏面端部には、電気配線基板Ｈ１３００の配線を、ヘッド枠部材Ｈ２０００に備わる電気コネクタＨ１３０２（外部信号入力端子）に接続するための、配線統合基板Ｈ２１００が電気的に接続される。配線統合基板Ｈ２１００は、表裏両面に配線がパターニングされている。電気配線基板Ｈ１３００との電気接続には、例えば、異方性導電接着剤を用いた加熱圧着による接続が行われる。
【００３３】
そして、電気コネクタＨ１３０２を備えるヘッド枠部材Ｈ２０００が、電気配線基板Ｈ１３００に接着固定され、電気コネクタＨ１３０２は、配線統合基板Ｈ２１００と電気的に接続される。電気接続には、例えば、はんだ実装が用いられる。そして、ヘッド枠部材Ｈ２０００の電気配線基板接着部の両脇には、位置決め部Ｈ２００１が設けられており、後述のキャリッジの保持部に位置決めされる。
【００３４】
そして、ヘッド枠部材Ｈ２０００に、流路部材Ｈ１６００が接着され、記録ヘッドＨ１００１が完成する。なお、流路部材Ｈ１６００のインク供給口Ｈ１６０１には、シールゴムＨ１８００が装着されている。第１の支持板Ｈ１２００の裏面に設けられたフィルター部材Ｈ１７００は、流路部材Ｈ１６００のインク流路Ｈ１６０２に接続される。
【００３５】
上述のように、構成されたインクジェット記録ヘッドは、図３に示すキャリッジＭ４００１に装着される。前記キャリッジＭ４００１は、記録ヘッドＨ１００１を位置決め固定する枠部材Ｍ４００８と、記録ヘッドＨ１００１のジョイント部Ｈ２２００に接続するジョイント部Ｍ４００９から構成されている。前記枠部材Ｍ４００８は、ばね性を有する金属材料を一体成形して形成されており、ヘッド挿入部Ｍ４０１０と、保持部Ｍ４０１１と、押圧部Ｍ４０１２を有している。枠部材Ｍ４００８に用いられる金属材料は、例えば、ＳＵＳ３０１、ＳＵＳ３０４等の、ばね用ステンレス鋼帯が用いられる。ヘッド挿入部Ｍ４０１０は、
保持部Ｍ４０１１とは反対の面に設けられた開口部であり、図３の矢印１に示すように、まず、ジョイント部Ｈ２２００を、保持部Ｍ４０１１上に乗せた後、記録ヘッドＨ１００１を保持部に対して平行にし、ジョイント部Ｍ４００９の方向にスライドし装着する。保持部Ｍ４０１１は、記録ヘッドＨ１００１の位置決め部Ｈ２００１に対応する位置に設けられている。そのため、装着の際に、記録ヘッドＨ１００１の吐出面を被記録媒体側に接触させることなく装着できる。また、押圧部Ｍ４０１２を二方向に有しており、ヘッド挿入部Ｍ４０１０から挿入した記録ヘッドＨ１００１を、保持部Ｍ４０１１に沿って、ジョイント部Ｍ４００９の方向にスライドするだけで、記録ヘッドＨ１００１が位置決め固定される。
【００３６】
そして、前記ジョイント部Ｍ４００９は、電気コネクタＭ４０１３（外部信号出力端子）、電気配線取り出し口Ｍ４０１４、インク供給口Ｍ４０１５、インクタンク取り付け口Ｍ４０１６、から構成されている。記録ヘッドＨ１００１が前記保持部Ｍ４０１１に沿ってスライド装着されることにより、記録ヘッドＨ１００１のジョイント部と、キャリッジＭ４００１のジョイント部Ｍ４００９は、電気接続と、インク供給口の接続を、同時に行うことができる。また、キャリッジＭ４００１は、記録ヘッドＨ１００１のインク供給口Ｈ１８０１と、インクタンクＨ１９００のインク供給口Ｈ１９０１を、互いに連通させるインク流路を具備している。そして、本発明によれば、記録ヘッドＨ１００１の形状を薄型化できるため、記録ヘッドの上面に、インクタンクＨ１９００を積層して配置することが可能となる。その際、インクタンクＨ１９００のインク供給口Ｈ１９０１は、ジョイント部Ｍ４００９のインクタンク取り付け口Ｍ４０１６に接続される。そのため、記録ヘッドＨ１００１とインクタンクＨ１９００は、それぞれ、単独で交換することが可能となる。
【００３７】
また、記録ヘッドＨ１００１の上面には、手掛かり部Ｈ２３００が設けられているため、記録ヘッドＨ１００１をキャリッジＭ４００１から、容易に取り外すことができる。
【００３８】
図４は、本形態のインクジェット記録ヘッドＨ１００１を用いたプリンターＭ１０００であり、キャリッジＭ４００１に記録ヘッドＨ１００１とインクタンクＨ１９００が装着され、被記録媒体２に対し、印字を行っている様子を示している。
【００３９】
キャリッジＭ４００１は、被記録媒体２の紙送り方向（主走査方向３）に対して、直交（副走査方向４）に往復移動する。被記録媒体２は、紙押さえローラ−Ｍ４０１７により、浮き上がりを防止され、搬送されている。
【００４０】
本発明においては、キャリッジＭ４００１のジョイント部Ｍ４００９を、副走査方向４に設けることにより、二本の平行する紙押さえローラーＭ４０１７の間隔を、狭くすることが可能となり、印字品位の高い記録を行うことができる。
【００４１】
また、前記インクジェット記録ヘッド、及び前記キャリッジの主走査方向に対する傾きは、インクの吐出タイミングにより補正しているため、高精度な位置決め機構を必要としない。
【００４２】
以上の構成よりなる本実施の形態のインクジェット記録ヘッド、及び、インクジェット記録装置は、記録ヘッドを、キャリッジに対して、一方向に押圧することにより、位置決めされ、電気接続と、インク供給口が、それぞれ同時に接続できるため、接続機構が簡単になり、インクジェット記録ヘッドと、インクジェット記録装置を小型化することができる。
【００４３】
（第２の実施の形態）
図５は、本発明の第２の実施の形態のインクジェット記録装置を説明する図である。
【００４４】
本発明の第２の実施の形態においては、インクジェット記録装置Ｍ１０００に具備するインクタンクＨ１９００から、キャリッジＭ４００１のジョイント部Ｍ４００９まで、インク供給チューブＭ４０１９を引き、記録ヘッドＨ１００１に対して、インクを供給している。インクタンクＨ１９００をキャリッジＭ４００１上に、搭載しないため、記録装置をさらに小型化（薄型化）することが可能となる。また、キャリッジＭ４００１が軽量化されるために、駆動系の負担が軽減するとともに、制御精度が向上する。また、インクタンクＨ１９００は、別個所に設けられるため、大容量化することが可能となる。
【図面の簡単な説明】
【００４５】
【図１】本発明の第１の実施の形態のインクジェット記録ヘッドを説明する図。
【図２】図１のインクジェット記録ヘッドの分解斜視図。
【図３】図１のインクジェット記録ヘッドを装着するキャリッジを説明する図。
【図４】図１のインクジェット記録ヘッドを搭載するインクジェット記録装置を説明する図。
【図５】本発明の第２の実施の形態のインクジェット記録装置を説明する図。
【図６】従来のインクジェット記録ヘッドとインクタンクの装着を説明する図。
【図７】図６のインクジェット記録ヘッドを説明する図。
【図８】図６のインクジェット記録ヘッドを搭載するインクジェット記録装置を説明する図。
【符号の説明】
【００４６】
Ｈ１０００  記録ヘッドカートリッジ
Ｈ１００１  記録ヘッド
Ｈ１００２  記録素子ユニット
Ｈ１００３  タンクホルダー
Ｈ１１００  記録素子基板
Ｈ１２００  第１の支持板
Ｈ１２０１  インク供給口
Ｈ１３００  電気配線基板
Ｈ１３０１  外部信号入力端子
Ｈ１３０２  電気コネクタ
Ｈ１３０３  リード端子
Ｈ１３０４  封止剤
Ｈ１４００  第２の支持板
Ｈ１５０１  ジョイント部
Ｈ１５０２  係合部
Ｈ１６００  流路部材
Ｈ１６０１  インク供給口
Ｈ１７００  フィルター部材
Ｈ１８００  シールゴム
Ｈ１８０１  インク供給口
Ｈ１９００  インクタンク
Ｈ１９０１  インク供給口
Ｈ１９０２  セットレバー
Ｈ２０００  セット枠部材
Ｈ２００１  位置決め部
Ｈ２１００  配線統合基板
Ｈ２２００  ジョイント部
Ｈ２３００  手掛かり部
Ｍ１０００  プリンター
Ｍ４００１  キャリッジ
Ｍ４００７  ヘッドセットレバー
Ｍ４００８  枠部材
Ｍ４００９  ジョイント部
Ｍ４０１０  ヘッド挿入部
Ｍ４０１１  保持部
Ｍ４０１２  押圧部
Ｍ４０１３  電気コネクタ
Ｍ４０１４  電気配線取り出し口
Ｍ４０１５  インク供給口
Ｍ４０１６  インクタンク取り付け口
Ｍ４０１７  紙押さえローラー
Ｍ４０１８  電気配線
Ｍ４０１９  インク供給チューブ
１  矢印
２  被記録媒体
３  主走査方向
４  副走査方向
【図１】
2009023218.tif 000003
【図２】
2009023218.tif 000004
【図３】
2009023218.tif 000005
【図４】
2009023218.tif 000006
【図５】
2009023218.tif 000007
【図６】
2009023218.tif 000008
【図７】
2009023218.tif 000009
【図８】
2009023218.tif 000010